(57)【要約】【課題】大容量メモリを用いて間欠駆動を行うことによって衝撃耐性を高めるとともに、徹底した低消費電力動作を達成するとともに、ユーザーが即座にディスクを取り外すことができる情報記録装置を提供すること。【解決手段】情報を格納するメモリ手段と、前記メモリ手段への蓄積或は読み出しによって、当該情報を間欠的にディスク状媒体に記録する手段を備えた情報記録装置において、前記ディスク媒体の記録済み容量又は空き容量を取得する容量判定手段を有し、前記容量判定手段の出力結果に応じて前記記録手段の間欠駆動を変更する。ここで、前記間欠駆動変更手段は、前記容量判定手段の出力結果に基づいて、少なくとも間欠記録動作と非間欠記録動作を切り替える。【選択図】図２
2006196071.tif 000002
【特許請求の範囲】
【請求項１】
情報を格納するメモリ手段と、前記メモリ手段への蓄積或は読み出しによって、当該情報を間欠的にディスク状媒体に記録する手段を備えた情報記録装置において、
前記ディスク媒体の記録済み容量又は空き容量を取得する容量判定手段を有し、前記容量判定手段の出力結果に応じて前記記録手段の間欠駆動を変更することを特徴とする情報記録装置。
【請求項２】
前記間欠駆動変更手段は、前記容量判定手段の出力結果に基づいて、少なくとも間欠記録動作と非間欠記録動作を切り替えることを特徴とする請求項１記載の情報記録装置。
【請求項３】
前記間欠駆動変更手段は、前記容量判定手段の出力結果に基づいて間欠駆動周期を変更することを特徴とする請求項１記載の情報記録装置。
【請求項４】
情報を格納するメモリ手段と、前記メモリ手段への蓄積或は読み出しによって、当該情報を間欠的にディスク状媒体に記録する手段を備えた情報記録装置において、
前記間欠駆動周期を異にする少なくとも第１、第２の間欠駆動モードを備え、当該間欠駆動モードを切り換えるスイッチ手段を備えることを特徴とする情報記録装置。
【発明の詳細な説明】
【技術分野】
【０００１】
本発明は、ディスク状記録媒体への情報記録装置であって、 特には、 間欠駆動制御によるショックプルーフ機能を備える情報記録装置に関する。
【背景技術】
【０００２】
ディスク状記録媒体（以下、「ディスク」と記す）を用いた情報記録装置は、これまで主にパーソナル・コンピュータ等の周辺機器として活用され、媒体の可搬自在性、或は高速且つランダムなアクセス・レスポンスの優位性を持つことから、大容量データストレージ機器として発展してきた。近年、ディスクの高密度化が急速に進展するに相俟って、小径且つ大容量のディスクが高精細スチルカメラやビデオカメラ等に採用され、撮像記録機器の主軸メディアとして大きな躍進を遂げている。
【０００３】
ところで、記録媒体にディスクを用いた撮像記録装置は、撮影記録中の手ぶれや振動、突発的なショック等に対して、ショックプルーフと呼ばれる機能を備え、記録再生機能への衝撃耐性を高めている。
【０００４】
従来こうした機能を実現する技術として、特許文献１に提案がなされている。これは、記録信号を一旦メモリに蓄積しておき、その間、ディスク駆動を停止させてアクセス待機しておく。ディスク駆動とは、ディスクを回転させるスピンドルモータ駆動、ディスク所定アドレス位置に光学ピックアップを位置制御するスレッドモータ駆動、対物レンズの位置制御を担うアクチュエータ駆動、記録レーザーパワー駆動等、電力消費が嵩む動作である（以下、ディスクを駆動する機能を総じて「ドライブ」と記す）。
【０００５】
ここで、メモリへの蓄積容量が十分溜まると、ディスクドライブを起動する。続いてメモリから高速で記録データを読み出してディスクに記録を行う。ディスクへの記録が終了すると再びディスクドライブを休止する。入力される記録信号の伝送レートに比べ、
ディスクに記録する伝送レートの方が数倍高いことから、こうしたショックプルーフ機能が実現できる。尚、ドライブの稼動と停止を所定周期で繰り返す動作は、
間欠駆動と呼ばれ、衝撃耐性を高めるだけでなく、 ディスクドライブを停止させておく時間が長ければ長いほど、ドライブ駆動に関わる電力消費を抑えることに貢献して撮像システム全体の省電力化に大きく寄与する。
【０００６】
又、ドライブ休止期間を確保できるので、筐体への外乱等に起因するサーボエラーが生じても、待機時間を活用して復帰処理（以下、「リトライ」と記す）を果たせるので、記録または再生動作の連続性・信頼性を高めることができる。
【０００７】
特に、近年、半導体メモリの大容量化、価格低下と相俟って、大容量メモリを用いたショックプルーフ機能が実現されている。ここでは、ディスクドライブの間欠休止期間を長く設定し、ドライブ動作をできる限り停止させ続けることで大幅な節電効果が得られ、携帯機器における長時間のバッテリ駆動を支援している。
【０００８】
【特許文献１】特開平０５−２０５２７０号公報
【発明の開示】
【発明が解決しようとする課題】
【０００９】
しかしながら、前記従来技術にあるショックプルーフ機能には、ユーザーが記録終了の指令を与えた後、直ちに、当該ディスクを機器から取り出すことができないという課題がある。即ち、記録データは、一旦メモリに蓄積され続けており、ユーザーによる記録終了指示をもって、当該メモリに蓄積されたデータをディスクに記録しなければならない。メモリへの蓄積データが多ければ多いほど、ディスクに記録する所要時間も増加してしまう。このことは、ユーザーが記録動作の終了を行っても、すぐに当該ディスクを取り出せないという弊害を招く。
【００１０】
このような状況に鑑み、本発明は、 大容量メモリを用いて間欠駆動を行うことによって衝撃耐性を高めるとともに、徹底した低消費電力動作を達成するとともに、ユーザーが即座にディスクを取り外すことができる情報記録装置を提供することを目的とする。
【課題を解決するための手段】
【００１１】
上記目的を達成するため、請求項１記載の発明は、情報を格納するメモリ手段と、前記メモリ手段への蓄積或は読み出しによって、当該情報を間欠的にディスク状媒体に記録する手段を備えた情報記録装置において、前記ディスク媒体の記録済み容量又は空き容量を取得する容量判定手段を有し、前記容量判定手段の出力結果に応じて前記記録手段の間欠駆動を変更することを特徴とする。
【００１２】
請求項２記載の発明は、請求項１記載の発明において、前記間欠駆動変更手段は、前記容量判定手段の出力結果に基づいて、少なくとも間欠記録動作と非間欠記録動作を切り替えることを特徴とする。
【００１３】
請求項３記載の発明は、請求項１記載の発明において、前記間欠駆動変更手段は、前記容量判定手段の出力結果に基づいて間欠駆動周期を変更することを特徴とする。
【００１４】
請求項４記載の発明は、情報を格納するメモリ手段と、前記メモリ手段への蓄積或は読み出しによって、当該情報を間欠的にディスク状媒体に記録する手段を備えた情報記録装置において、前記間欠駆動周期を異にする少なくとも第１、第２の間欠駆動モードを備え、当該間欠駆動モードを切り換えるスイッチ手段を備えることを特徴とする。
【発明の効果】
【００１５】
本発明によれば、大容量の半導体メモリを用いたショックプルーフシステムを構築しても、記録直後のディスク取り出し即応性を高める効果を得る。併せて大容量メモリを最大限に活用することで、携帯機器として高い耐震性能と低消費電力システム動作を達成する効果を得る。
【００１６】
又、ディスク残量を監視しながらショックプルーフメモリへのデータ蓄積量を可変制御することができるので、ユーザーがディスク交換の必要性に応じて、よりスピーディなディスク取り出しを支援する機能を実現する。
【００１７】
更に、ディスク残量に応じてディスク媒体に逐次記録処理を行うことができるので、ディスク交換の時間を極力低下させる効果を得る。
【００１８】
又、ディスク交換を頻繁に行うことが求められる記録条件におかれても、ユーザーの利便性をかなえるモード選択機能を提供することができる。
【００１９】
以上の通り、本発明によれば、大容量半導体メモリを最大限に活かしたショックプルーフシステムにおいて、ディスク交換のユーザーアクセシィビリティ優位性を提供することができる。
【発明を実施するための最良の形態】
【００２０】
以下、本発明の実施形態について図面を用いて詳細に説明する。図２は本発明による光学的情報記録装置の構成を示す機能ブロック図である。
＜本実施形態の全体構成及び一連の動作＞
図２に示す光学的記録装置は、撮像機能を有する携帯型ディスクドライブシステムであり、前玉レンズ２０１、ズーム・フォーカス・絞り・防振等の機能を有する光学ユニット２０２とそれらを制御する光学制御部２０３、撮像素子ＣＣＤ２０４、ＣＣＤドライバ２０５、カメラプロセッサ２０６、カメラコントローラ２０７を備えている。
【００２１】
又、メモリ２４２、メモリ制御２４１、圧縮伸張プロセッサ２４３、表示部２４５、外部インタフェース（以下、「外部Ｉ／Ｆ」と記す）２４６、操作部２４７、システムコントローラ（ＣＰＵ）２４４を備えている。又、光ディスク（以下、「ディスク」と記す）２２１、光ピックアップ２２２、スピンドルモータ２２３、スピンドルモータドライバ２２４、ＡＴ（Auto Tracking ）／ＡＦ（Auto Focus）ドライバ２２５、レーザードライバ２２６、サーボコントローラ（Digital Signal
Processor）２２８、ディスク信号処理部２２７、ドライブプロセッサ２２９を備えている。
【００２２】
図２の全体構成及び基本動作を説明する。
【００２３】
システムコントローラ２４４は、中央演算処理機能（ＣＰＵ）を備え、操作部２４７からのユーザー指定コマンドを処理する。或は、カメラコントローラ２０７やサーボコントローラ２２８を介して、撮像動作やディスクへのサーボ動作を制御する。或は又、所定のプログラムを実行することにより、光学的情報記録装置の全体システムを統括制御する。
【００２４】
外部Ｉ／Ｆ２４６は、アナログ映像音声信号の入出力、高速デジタルＩＥＥＥ１３９４やＵＳＢ（Universal Serial Bus）、或は無線通信等、諸規格に準じた信号送受信機能を実現するインタフェース処理系である。操作部２４７は、ユーザーインタフェースであり、電源ＯＮ／ＯＦＦや記録／再生等の操作に必要な幾多のスイッチ群によって構成されている。又、表示部２４５は、記録映像若しくは再生映像をモニタしたり、ユーザーへの様々な管理情報の表示、又はコマンド指示等を受けるインタフェースである。
【００２５】
メモリ２４２は、データバス２１０を介して各機能ブロックでタイム・シェアされるメモリである。メモリ２４２は、システムコントローラ２４４からメモリ制御部２４１を経由してデータの書き込み、読み出しが制御される。
【００２６】
撮像系２００の動作を説明する。
【００２７】
固定された前玉レンズ２０１、不図示の鏡筒内で移動自在なレンズ群や絞りによって構成された光学系ユニット２０２を介して、ユーザー所望のズーム画角やフォーカス制御がなされる。被写体は、前述の光学系を経てＣＣＤ２０４に結像される。ＣＣＤ２０４は、受光部に発生する蓄積電荷の分布に変換され、ＣＣＤドライバ２０５によって垂直方向、水平方向に順次転送されて時系列の撮像電気信号が生成される。
【００２８】
カメラプロセッサ２０６では、カメラコントローラ２０７で設定されたパラメータに応じて、色分離、階調補正、ホワイトバランス調整等の信号処理がなされ、撮像信号としてデータバス２１０に出力される。カメラコントローラ２０７は、システムコントローラ２４４の指令に応じて光学制御部２０３、ＣＣＤドライバ２０５、カメラプロセッサ２０６の諸動作を統括制御する。
【００２９】
こうして得られた撮像信号や外部ＩＦ２４６を介して入力された信号は、圧縮伸張プロセッサ２４３によって、例えばＭＰＥＧ２（Moving Picture Experts Group 2）等の周知の符号化方式に準じて圧縮処理がなされる。
【００３０】
次に、ディスクドライブ系２２０の動作を説明する。
【００３１】
光ピックアップ２２２は、光学カップリング群、レーザー素子、アクチュエータ、受光素子（以上図示せず）等から構成され、ディスク２２１へのレーザー光照射や光ビームスポットの位置制御等によって、情報の記録または再生動作を行う。
【００３２】
ドライブ系のサーボ動作について説明する。
【００３３】
サーボコントローラ２２８は、ドライブシステムのサーボ制御全体をコントロールする。サーボコントローラ２２８は、不図示のトラバースモータを駆動制御することによって光ピックアップ２２２をディスク２２１上の所定アドレス近傍に位置制御する。光ピックアップ２２２には、対物レンズをフォーカス方向とトラッキング方向に駆動するためのアクチュエータが設けられており、ＡＴ／ＡＦドライバ２２５は、ディスク信号処理部２２７から生成されるフォーカスエラー信号及びトラッキングエラー信号に基づいて対物レンズを制御する。こうして、回転するディスク２２１のトラック上に光ビームスポットの合焦を維持するとともに、情報トラックに対してトラッキング制御を行う。更に、サーボコントローラ２２８は、スピンドルモータドライバ２２４を介して、スピンドルモータ２２３の回転駆動制御を行う。
【００３４】
光ピックアップ２２２では、レーザードライバ２２６を介してレーザー出射光量の制御を行う。サーボ制御されたディスク２２１からの反射光は、光ピックアップ２２２内の受光素子において光電変換され、センサ出力信号として伝送される。ディスク信号処理部２２７は、光ピックアップ２２２のセンサ出力信号をマトリクス演算し、ゲイン制御（Auto Gain Control ）、フィルタリング（Pre Filter）、デジタル化（Analog/Digital
Converter）といった一連の信号処理を行う。
【００３５】
デジタル化された再生データは、後段のドライブプロセッサ２２９に伝送される。ドライブプロセッサ２２９では、デジタル信号処理を担い、ＰＬＬ（Phase Locked Loop ）によって再生信号のエッジに同期したクロック生成、イコライザによる波形等化、ＰＲＭＬ（Partial-Response Maximum-Likelihood ）によるデータ検出、復調処理、ＥＣＣ（エラー訂正：Error Cor rection Code）等が実施され、データバス２１０に出力される。
【００３６】
続いて、ディスクへのデータ記録動作について説明する。
【００３７】
ディスク２２１は、記録層にＧｅ−Ｓｂ−Ｔｅ等の相変化材料で構成されており、ディスクを回転させながら光ビーム強度を変調して照射するとアモルファス状態と結晶状態が可逆的に変化する。記録層を結晶状態からアモルファス状態に変化させるには、光ビームをパルス上に照射し、一旦溶融した後急冷する。
【００３８】
逆に、アモルファス状態から結晶状態変化させるには、比較的弱い光ビーム強度のレーザー光を照射して結晶化温度以上でアニールする。この２つの状態での光学的変化を利用して情報の記録再生を行う。撮像信号若しくは外部入力信号は、ドライブプロセッサ２２９において、変調処理やディスク記録フォーマットに準じたデータ変換がなされる。レーザードライバ２２６は、周知のライトストラテジ処理を担い、記録変調データパターンに応じてレーザーをパルス状に点灯制御する。
【００３９】
＜ドライブ間欠駆動制御の説明＞
次に、メモリ２４２とディスクへの記録データの流れについて図面を用いて詳述する。図８（８−１）は、横軸に時間、縦軸にメモリ２４２へのデータ蓄積量を示したタイミングチャートである。同図（８−２）はドライブ装置の間欠駆動タイミングを示している。ドライブ装置はメモリ蓄積量を監視しながら間欠動作でディスクにデータの記録を行い、Ｈ区間でドライブ駆動、Ｌ区間でドライブ動作を停止する。
【００４０】
いま、撮影記録開始の上位コマンドが発行され、時刻ｔ１において、撮像信号が所定の圧縮処理を経てメモリ２４２に蓄積開始される。縦軸に示すＡはメモリ総容量値である。記録動作中、メモリへのデータ蓄積は図８（８−１）に従って所定の転送レートで蓄積される。次に、メモリ容量がＭ（メモリ容量：Ｍ＜Ａ）となる時刻ｔ２で休止していたドライブが記録可能状態に移行し、然る後、メモリ２４２からデータ読み出しが開始され、ディスク２２１へのデータ記録が行われる。
【００４１】
メモリからのデータ記録レートは、蓄積レートに比べて数倍高速となっている。時刻ｔ３になったところで、ディスクへのデータ記録が終了し、ドライブが休止動作に移行する。以後、同様の動作が周期的に繰り返される。時刻ｔ３からｔ４まではメモリからのデータ読み出しは待機し、蓄積のみが継続される。時刻ｔ４からｔ５において、再びメモリからデータが高速で読み出され、ディスクに記録される。
【００４２】
このように、図８（８−２）に示されるドライブの駆動タイミングは、メモリ２４２へのデータ蓄積容量に応じて、ドライブ装置の起動と停止が制御される。尚、時刻ｔ１からｔ２、ｔ３からｔ４の間は、電力消費が嵩む半導体レーザー発光や各種モーター駆動系への電力供給を停止しているので、省電力化に大きく寄与する。
【００４３】
更に、装置筐体への外乱（衝撃、振動、揺れ）が発生しても、ドライブ間欠休止期間中は影響を受けない。仮にドライブ動作中に衝撃が発生してサーボエラーが生じても、間欠休止期間にリトライ（復帰処理）することができる。以上詳述した間欠動作は、ディスクにデータを記録する場合だけでなく、ディスクからデータを再生する場合も同様に適用される。
＜本実施形におけるシステムコントローラの機能構成＞
図３に本実施系の特徴となるシステムコントローラ２４４の機能ブロック構成を示す。システムコントローラ２４４は、ＣＰＵと通信バスライン２１０が接続されており、更に、ディスク残量監視部３０１と、メモリ監視部３０２、メモリ閾値決定部３０３、間欠駆動制御部３０４を有している。システムコントローラ各部は操作部２４７、サーボコントローラ２２８、メモリ制御部２４１と通信する。
【００４４】
ディスク残量監視部３０１は、装置に装填されたディスクの総容量に対する空き容量を取得する。メモリ監視部３０２は、
メモリ制御部２４１から、 メモリ蓄積量を取得する。メモリ閾値決定部３０３は、ディスク残量監視部３０１から取得したディスク残量ならびにメモリ蓄積量をもとに間欠制御タイミングを生成する。間欠駆動制御部３０４は、メモリ閾値決定部３０３から取得した制御タイミングに基づいて間欠駆動周期を制御する。
＜本実施形の間欠駆動のタイミングチャート＞
ここで、本発明の間欠駆動の詳細について詳述する。図１は本発明の動作を説明するフローチャート図である。
【００４５】
・ステップ１０１：ディスク残量判定
ドライブシステムはディスク残量を判定する。ディスク残量が総容量に対して２０％以下であるかを判定する。ディスク残量が２０％以下、即ち、総容量に対して８０％以上が記録済みのとき、ステップ１０２に移行する。
【００４６】
・ステップ１０２：メモリ閾値設定
メモリ内のデータをディスクに転送する基準レベルであるメモリ閾値をＭ２（Ａ＞Ｍ２）に設定して、ステップ１０４に移行する。
【００４７】
・ステップ１０３：メモリ閾値設定
メモリ内のデータをディスクに転送する基準レベルであるメモリ閾値をＭ１（Ａ＞Ｍ１＞Ｍ２）に設定して、ステップ１０４に移行する。
【００４８】
メモリ閾値Ｍ１，Ｍ２の関係は、図４の通りである。図４において、４０１はディスクの記録済み領域である。４０２は未記録領域である。ディスク記録済み領域が総容量の８０〜１００％のとき、即ち、未記録領域が総  容量の２０％以下のとき、Ｍ２が設定される。ディスク記録済み領域が総容量の０〜８０％のとき、即ち未記録領域が総容量の２０％以上のとき、Ｍ１が設定される。
【００４９】
・ステップ１０４：間欠駆動記録動作
ステップ１０２又はステップ１０３で設定されたメモリ閾値に応じて、ドライブ間欠駆動タイミングを生成する。ディスクドライブはディスクへの間欠記録動作を行う。
【００５０】
ここで、間欠駆動記録動作フローについて、図１１を用いて説明する。
【００５１】
図１１のステップ１１０１に示す通り、メモリ蓄積容量を閾値判定する。設定された閾値以上の場合、ステップ１１０２に移行し、ディスクドライブが駆動する。続いてステップ１１０３に移行し、記録動作を行う。他方、メモリ蓄積容量が設定された閾値より小さい場合、ステップ１１０４に移行、即ちドライブ休止のまま、エンドに至る。
【００５２】
・ステップ１０５：記録終了判定
上位タスクからの記録停止の指令を受け、記録終了の場合はエンドに移行する。記録継続の場合は、ステップ１０１に移行する。
【００５３】
以上が本実施の形態における間欠駆動システムの動作フローである。
【００５４】
ここで、図５に本実施系のタイミングチャートを例示して説明を加える。図５は横軸に時間、縦軸にメモリ２４２へのデータ蓄積量を示したタイミングチャートである。図５において、５−１，５−２は、メモリ２４２へのデータ蓄積量の時間推移を示している。５−１は、メモリ閾値Ｍ１、即ちディスク残量が総容量の２０％以上あるときの間欠動作である。５−２はメモリ閾値Ｍ２（Ｍ１＞Ｍ２）、即ち、ディスク残量が総容量の２０％以下時の間欠動作である。図５の５−３はドライブ装置の間欠駆動タイミングを示している。ドライブ装置はメモリ蓄積量を監視しながら間欠動作でディスクにデータの記録を行い、Ｈ区間でドライブ駆動、Ｌ区間でドライブ停止している。
【００５５】
記録動作中、メモリへのデータ蓄積は図５のようなデータ推移を辿る。時刻ｔ１からｔ２、ｔ３からｔ４は、ディスクドライブが動作してメモリ内のデータ量Ｍ１をディスクに高速記録する。時刻ｔ２からｔ３は、ディスクドライブは動作休止し、記録信号はメモリ内に所定の符号化レートで蓄積される。いま、時刻ｔ４において、ディスクの記録済み容量が総容量の８０％を超えたことが検知されたとする。
【００５６】
システムコントローラ２４４は、メモリ閾値をＭ１からＭ２に変更し、間欠駆動周期が短くなるよう制御変更を施す。従って、時刻ｔ４以降は、ドライブ間欠周期は時刻ｔ４からｔ５までドライブ休止期間となり、入力記録信号がメモリへ逐次蓄積される。時刻ｔ５からｔ６にかけてドライブが動作し、メモリに蓄積されたデータ量Ｍ２をディスクに高速記録する。
【００５７】
このように、ディスク残量が総容量の８０％以上のとき、メモリ容量をディスクに書き込む時間は、（ｔ２−ｔ１）、（ｔ５−ｔ４）であり、ディスク残量が総容量の２０％以下のとき、メモリ容量をディスクに書き込む時間は、（ｔ６−ｔ５）となる。ディスクへの記録レートをＲ［ｂｉｔ／秒］とすると、
ｔ２−ｔ１＝ｔ５−ｔ４＝Ｍ１／Ｒ［秒］
ｔ６−ｔ５＝Ｍ２／Ｒ［秒］
Ｍ１＞Ｍ２であるから、（Ｍ１−Ｍ２）／Ｒ［秒］だけ、ディスクへの記録時間が短縮される。
【００５８】
以上詳述した通り、本発明の実施動作フローによれば、ディスク残量に応じてショックプルーフメモリへのデータ蓄積量を変更する。即ち、ディスク残量が少なくなって、ディスク交換の必要性が高まってくると、メモリ内に残留させるデータ量を少なくして、間欠駆動周期を短く制御する。従って、ユーザーが記録動作終了後、ディスクへの記録に要する時間を短縮し、速やかにディスクを取り出すことができる。
【００５９】
尚、本実施の形態では、間欠駆動の起動タイミングであるメモリ閾値を残量２０％とした２段階の切り換え動作を例示したがが、本発明の主旨に基づけば、ディスク残量閾値はこの２０％という数値に限定されるものではない。更に、メモリ閾値を２段階のみならず、段階的に複数可変或は連続的に可変することによって、ディスク交換の必要性に応じた取り出しレスポンスを高めることが可能である。                                      ＜実施の形態２＞
以下、本発明の実施の形態２について図面を用いて説明する。
【００６０】
本実施の形態の全体構成は実施の形態１に準ずるものであり、共通個所についての説明は省く。又、実施の形態１と共通機能の引き合いについては、既述の符号を用いて説明する。
＜システムコントローラの機能構成＞
図６にシステムコントローラ２４４における本実施の形態の特徴となる機能ブロック構成を示す。
【００６１】
システムコントローラ２４４は、ＣＰＵと通信バスライン２１０が接続されており、更にモード設定部６０１と、メモリ監視部３０２、メモリ閾値決定部３０３、間欠駆動制御部３０４を有している。システムコントローラ各部は、操作部２４７、サーボコントローラ２２８、メモリ制御部２４１と通信する。
【００６２】
モード設定部６０１は、操作部２４７よってユーザーから予め設定されたディスク取り出しモードの情報を取得する。当該モードは、２段階設定可能であり、ＮｏｍａｌモードとＱｕｉｃｋモードである。メモリ監視部３０２は、メモリ制御部２４１から、メモリ蓄積量を取得する。メモリ閾値決定部３０３は、モード設定部６０１から取得したディスク取り出しモード及びメモリ蓄積量を基に間欠制御タイミングを生成する。間欠駆動制御部３０４は、メモリ閾値決定部３０３から取得した制御タイミングに基づいて間欠駆動周期を制御する。
＜動作フローチャート＞
ここで、本実施の形態について詳述する。図７は本発明の動作を説明するフローチャート図である。
【００６３】
・ステップ７０１：モード設定判別
ドライブシステムはユーザーが設定したディスク取り出しモード情報を取得判定する。Ｑｕｉｃｋモードのとき、ステップ７０２に移行する。Ｎｏｒｍａｌモードのとき、ステップ７０３に移行する。
【００６４】
・ステップ７０２：メモリ閾値設定
メモリ内のデータをディスクに転送する基準レベルであるメモリ閾値をＭ２（Ａ＞Ｍ２）に設定する。
【００６５】
・ステップ７０３：メモリ閾値設定
メモリ内のデータをディスクに転送する基準レベルであるメモリ閾値をＭ１（Ａ＞Ｍ１＞Ｍ２）に設定する。
【００６６】
・ステップ７０４：間欠駆動記録動作
ステップ７０２又はステップ７０３で設定されたメモリ閾値に応じて、ドライブ間欠駆動タイミングを生成し、ディスクへの間欠記録動作を行う。
【００６７】
ここで、間欠駆動記録動作フローについて図１１を用いて説明する。
【００６８】
図１１のステップ１１０１に示す通り、メモリ蓄積容量を閾値判定する。設定された閾値以上の場合、ステップ１１０２に移行し、ディスクドライブが駆動する。続いてステップ１１０３に移行し、記録動作を行う。他方、メモリ蓄積容量が設定された閾値より小さい場合、ステップ１１０４に移行、即ちドライブ休止のまま、エンドに至る。
【００６９】
・ステップ７０５：記録終了判定
上位タスクからの記録停止の指令を受け、記録終了の場合はエンドに移行する。記録継続の場合は、ステップ７０１に移行する。
【００７０】
可搬ディスク媒体の容量は有限であり、ユーザーの使い方によっては、蓄積容量ぎりぎりまで記録を継続せず、撮影状況に応じてディスク交換を頻繁に繰り返す使い方もある。そこで、本実施の形態では、そうしたユーザー志向に基づき、記録後すぐにディスクを取り出せるクイックモードを設け、ユーザーが選択的かつ意図的に活用できるシステムを提供する。
【００７１】
本実施の形態によれば、新しいディスクを装填後、撮影開始時はＮｏｒｍａｌモードで撮像記録を行い、撮像記録の進展に応じて、ユーザーがディスク交換を行いたくなったら、Ｑｕｉｃｋモードに切り替えることができる。
【００７２】
このように、大容量メモリを備えたショックプルーフシステムを実現しながらも、ユーザーが頻繁なディスク交換をしたいという要請に対して、或は撮像記録の状況に応じて、意図的に、モード切り替えるができるので、速やかにディスクを取り出せるドライブシステムを提供することができる。
【００７３】
＜実施の形態３＞
本実施の形態は、ディスク媒体への記録動作を速やかに成し遂げるために、入力データをメモリに不要蓄積せず、ディスク媒体への記録動作に必要最低限のレート変換を実施後、ディスク媒体に逐次記録する装置を提供する。
＜間欠駆動のタイミングチャート＞
ここで、本発明の記録動作の詳細について詳述する。図９は本発明の動作を説明するフローチャート図である。
【００７４】
・ステップ９０１：ディスク残量判定
ドライブシステムはディスク残量を判定する。ディスク残量が総容量に対して２０％以下であるかを判定する。ディスク残量が２０％以下、即ち総容量に対して８０％以上が記録済みのとき、ステップ９０２に移行する。
【００７５】
・ステップ９０２：連続駆動記録動作
ドライブシステムは間欠駆動をせず、入力データをメモリ内で所定の記録レートに変換後、直ちにディスク媒体に記録を行う。
【００７６】
・ステップ９０３：間欠記録動作
ドライブシステムは間欠駆動で記録動作を行う。
【００７７】
・ステップ９０４：記録終了
ドライブシステムは、所定の記録終了を判定し、記録終了でなければステップ９０１に移行する。記録終了であればエンドとする。
【００７８】
以上が本実施の形態における間欠駆動と連続駆動の切り替え動作フローである。ここで、図１０に本実施の形態のタイミングチャートを例示して説明を加える。図１０は横軸に時間、縦軸にメモリ２４２へのデータ蓄積量を示したタイミングチャートである。
【００７９】
図１０の１０−１，１０−２は、メモリ２４２へのデータ蓄積量の時間推移を示している。１０−１は、メモリ閾値Ｍ１、即ちディスク残量が総容量の２０％以上あるときの間欠動作である。１０−２は、ｔ４以降に遷移する連続記録動作である。１０−３はドライブ装置の駆動タイミングを示している。ドライブ装置はメモリ蓄積量を監視しながら通常は間欠動作でディスクにデータの記録を行い、Ｈ区間でドライブ駆動、Ｌ区間でドライブ停止している。
【００８０】
記録動作中、メモリへのデータ蓄積は図１０に示すデータ推移を辿る。時刻ｔ１からｔ２、ｔ３からｔ４は、ディスクドライブが動作してメモリ内のデータ量Ｍ１をディスクに高速記録する。時刻ｔ２からｔ３は、ディスクドライブは動作休止し、記録信号はメモリ内に所定の符号化レートで蓄積される。
【００８１】
いま、時刻ｔ４において、ディスク残量が総容量の２０％以下になったことが検知されると、システムコントローラ２４４は、時刻ｔ４において記録動作を間欠駆動から連続駆動に変更する。連続駆動とは、ディスクドライブを常時動作させ、入力データをメモリ２４２で所定のディスク記録レートに変換後、直ちにディスクに記録を行う動作である。従って、時刻ｔ４以降ドライブ装置は稼動状態となり、メモリに入力されるデータは逐次ディスクに記録される。このように、ディスク残量が総容量の２０％以下のとき、メモリにデータを溜め込むことなく、逐次ディスク記録を終えるので、ディスク交換の指示を受けた後、直ちにディスクを排出することが可能となる。
【図面の簡単な説明】
【００８２】
【図１】本発明の実施の形態１に係る動作フローチャートである。
【図２】本発明に係る光学的記録再生装置の機能ブロック図である。
【図３】本発明の実施の形態１に係るシステムコントローラの機能ブロック図である。
【図４】本発明に係るディスク残量監視機能を説明する図である。
【図５】本発明に係る間欠駆動周期のタイミング説明図である。
【図６】本発明の実施の形態２に係るシステムコントローラの機能ブロック図である。
【図７】本発明の実施の形態２に係る動作フローチャートである。
【図８】本発明に係る間欠動作の説明図である。
【図９】本発明の実施の形態３に係る動作フローチャートである。
【図１０】本発明の実施の形態３の動作タイミング説明図である。
【図１１】間欠駆動のフローの説明図である。
【符号の説明】
【００８３】
２０１  前玉レンズ
２０２  光学ユニット
２０３  光学制御部
２０４  ＣＣＤ
２０５  ＣＣＤドライバ
２０６  カメラプロセッサ
２０７  カメラコントローラ
２１０  データバス
２２１  ディスク
２２２  光ピックアップ
２２３  スピンドルモータ
２２４  スピンドルモータドライバ
２２５  ＡＴ／ＡＦドライバ
２２６  レーザードライバ
２２７  ディスク信号処理部
２２８  サーボコントローラ
２２９  ドライブプロセッサ
２４１  メモリ制御部
２４２  メモリ
２４３  圧縮伸張プロセッサ
２４４  システムコントローラ（ＣＰＵ）
２４５  表示部
２４６  外部Ｉ／Ｆ
２４７  操作部
３０１  ディスク残量監視部
３０２  メモリ監視部
３０３  メモリ閾値決定部
３０４  間欠駆動制御部
５０４  符号量制御部
６０１  モード設定部
【図１】
2006196071.tif 000003
【図２】
2006196071.tif 000004
【図３】
2006196071.tif 000005
【図４】
2006196071.tif 000006
【図５】
2006196071.tif 000007
【図６】
2006196071.tif 000008
【図７】
2006196071.tif 000009
【図８】
2006196071.tif 000010
【図９】
2006196071.tif 000011
【図１０】
2006196071.tif 000012
【図１１】
2006196071.tif 000013